(57)【要約】      （修正有）【課題】セキュリティー機能を有する宅配ボックスを提供する。【解決手段】宅配ボックスにセキュリティー機能付の通信機器と映像機器をシステムユニット商品として構成する。【選択図】図１
0003158522.tif 000002
【実用新案登録請求の範囲】
【請求項１】
本考案は、（公序良俗違反につき、不掲載）に、セキュリティー機能付の通信機器と映像機器をシステムユニット商品として構成し、住宅管理と監視を双方のあいだで行える、ネットワークシステム通信設備機器と映像機器を設置し、郵便、宅配便の配達の際，留守や不在の時でも、通信システムを利用して双方のあいだで確認が行える、モニタリングシステムである。また日常生活上の防犯対策にも適しており、インターネット接続システムでの遠隔監視と管理が行える、住宅用のホームライフセキュリティー（公序良俗違反につき、不掲載）改良型である．
【請求項２】
本考案は、（公序良俗違反につき、不掲載）を、ホームライフセキュリティー改良型で住宅を増改築して設置する場合の、システムユニット商品として構成したもので建物外壁部へ埋め込み型の施工タイプである。特徴として荷物の受け取りが宅内側の後扉を開閉して行える収納ユニット家具改良型である。施工例として玄関口・台所・洋室リビング・和室に応じた収納ユニット家具で構成し、特徴としては、障害者の方や高齢者の方への配慮をし、車いすの方でも使える改良型である。もうひとつの特徴としては、ファーストフードショップデリバリーサービスやレンタルサービスに対応している改良型である。
【考案の詳細な説明】
公序良俗違反のため、不掲載とする。
0003158522.tif 000003
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
本考案は、宅配ボックスに、セキュリティー機能付の通信機器と映像機器をシステムユニット商品として構成し、住宅管理と監視を双方のあいだで行える、ネットワークシステム通信設備機器と映像機器を設置し、郵便の配達や又は宅配便の配達の際、留守や不在の時でも、通信システムを利用して双方のあいだで確認が行える、モニタリングシステムであり、また日常生活上の防犯対策にも適しており、インターネット接続システムでの遠隔監視と管理が行える、住宅用のホームライフセキュリティー宅配ボックスである。
【請求項２】
本考案は、宅配ボックスを、ホームライフセキュリティー宅配ボックス改良型として住宅を増改築して設置する場合の、システムユニット商品として構成したもので建物外壁部へ埋め込み型の施工タイプであり、特徴として荷物の受け取りが宅内側の後扉を開閉して行える収納ユニット家具改良型である。施工例として玄関口、台所・洋室リビング・和室に応じた収納ユニット家具で構成し、特徴としては、障害者の方や高齢者の方への配慮をし、車いすの方でも使え、もうひとつの特徴としては、ファーストフードショップデリバリーサービスやレンタルサービスに対応しています。
【手続補正２】
【補正対象書類名】明細書
【補正対象項目名】全文
【補正方法】変更
【補正の内容】
【考案の詳細な説明】
【技術分野】
【０００１】本考案は、市販の宅配ボックス本体に、セキュリティー機能を兼ね備えた通信機器と映像機器を接続設置した、宅配ボックスに関するものである。
【背景技術】
【０００２】従来型である宅配ボックスの需要と普及は、現在のところ、集合住宅で通信設備として、インターネット接続対応を充実させており、管理会社が管理・監視システムとして宅配ボックスを設置しているところも増えつつある。しかし、一般の戸建住宅では、宅配ボックスの設置に関しては、立地条件や住宅の建築状況によって条件が異なってしまい、また用途や形式もさまざまである。そしてなによりも、郵便物や宅配便の荷物も個人別々の宅配、管理になるため需要も普及も現在のところ伸びていない。
【考案の開示】
【考案が解決しようとする課題】
【０００３】現在、日本の住宅生活事情と環境は、ＩＴ技術の発達に伴って、電機、通信事業業界が先行した形で、人々の生活上欠かせない製品を情報メディアとして、また娯楽用としての製品づくりに取り組んでおり、携帯電話をはじめテレビ、ビデオ、パソコン、カメラ、ファックスなどデジタル商品も豊富である。経済・産業界もめまぐるしく変わりつつあるのですが、住宅生活環境も地域によってはかなり違いがあり、いろいろな生活上での不便がある方もおられます。住宅業界も省エネルギーの対策に取り組んだ家づくり、環境を配慮した品質管理から施工に関する、耐震性、安全性、耐入性、快適性などを追求した高性能、高品質の住まいづくりを提案し各メーカーが豊富なプランやデザインを提供しています。住宅の建築，改築時に宅配ボックスの設置を採り入れて頂き、日本全国にネットワークシステムとネットワークサーバーを配備し、防犯システムも充実した環境へ、政府法務省、郵便、宅配事業会社、電話通信事業、住宅事業会社、提携企業ネットオンラインサービス、デリバリーサービスが向上し、地域の発展につながります。
【課題を解決するための手段】
【０００４】本考案は、宅配ボックス本体に、セキュリティー機能付の通信機器ドアホンカメラ付ファックス電話、ネットワークカメラ、パソコン、テレビ、ブルーレイディスクレコーダーの映像機器にネットワーク機能に適した接続アダプター、サーバー、コントロールユニットを用いて、需要に応じて一般家庭の郵便物や宅配便の荷物やデリバリーサービスの商品配達時に留守、不在でも配達と受取りの確認が双方のあいだで行なえて、インターネットに接続しての、携帯電話画面での画像確認、モニタリングも可能な遠隔管理と監視が同時に出来る、ネットワークサーバー経由のシステムを利用した、住宅用宅配ボックス本体の設置に遠隔管理監視が出来るネットワークカメラとドアホンカメラ付ファックス電話にデジタルテレビとブルーレイディスクレコーダーにパソコン等を接続した改良型のものである。
【考案の効果】
【０００５】上述の様に、本考案の宅配ボックス本体は、現在でもドアホンカメラ付郵便ポスト付で市販されており、郵便封書、はがき、郵便小包、宅配便の荷物受取りは、勿論出来ます。メーカーの優れた知識と技術で生産された設備機器を、生活上の防犯に役立つホームライフセキュリティー宅配ボックス改良型にして、商品構成ユニットとネットワークシステム商品として便利に使える、且つ県外地方にいる家族や親戚、友人の間でも楽しめる商品として、豊かな、安心住宅生活環境創りの商品として役立て、普及させる。
【考案を実施するための最良の形態】
【０００６】宅配ボックス本体の施置に下記の設備品をドアホンカメラ付ファックス電話、ドアホン用ＰＬＣアダプター、ネットワークカメラ、ネットワークカメラサーバー、無線ＬＡＮアダプター、カメラコントロールユニット、テレビモニタリングユニット、ネットワークカメラ専用録画プログラム、デジタルテレビ、ブルーレイディスクレコーダー、ホームパネル、コントロールパネルに配線設置し、パソコン（施主様準備品）、ルーター（施主様準備品）、メディアコンバーター（施主様準備品）を配線接続する。施主様準備品がネットワークシステムに応じていない場合は、購入して頂く。必要に応じてイーサーネット給電アダプターセットを取り付ける。有料ネットワークサービス「みえますねっとサービス（登録商標）」に加入する。お客様加入の携帯電話会社のインターネットが使える携帯電話でカメラ画像をモニタリングする。
【実施例】
【０００７】以下、添付図面に従って一実施例を説明する。１は宅配ボックス本体（ポスト照明付）で２のドアホンカメラ付ファックス電話と３のドアホン用ＰＬＣアダプターを４のネットワークカメラと５のネットワークカメラサーバーと６の無線ＬＡＮアダプターと７のカメラコントロールユニットと８のテレビモニタリングユニットを９のネットワークカメラ専用録画プログラムを１０のデジタルテレビと１１のブルーレイディスクレコーダーをつなぎ１２のホームパネルに接続配線する。１３のコントロールパネルと１４のパソコンと１５のルーターを１２のホームパネルに接続。
【産業上の利用可能性】
【０００８】上述の考案が解決しようとする課題で申し上げた、電気事業界、住宅建設業界電話通信事業界、郵便、宅配運送事業界にファーストフード業界と各種レンタルサービス業界と提携企業ネットオンラインサービスに電子マネーを扱うサービスとして金融事業界とが利用出来ます。そして、法務省と警察庁とで防犯システムとして利用出来ます。【０００９】本考案の一実施例は上述の如き構成を必要とするのですが、上述の産業上の利用可能性は、法務省と警察庁及び事業者とのサーバーネットワークでいろいろなサービスが顧客との間で行えます。
【図面の簡単な説明】
【００１０】
【図１】本考案の宅配ボックスの一実施例を示します。
【図２】本考案の一ネットワークシステムの実施例です。
【サーバーネットワークシステムの簡単な説明】
【００１１】  １  法務省サーバー  ２  警視庁または警察庁および都道府県下の警察本部サーバー  ３  郵便事業会社  ４  宅配運送会社  ５  インターネットショップ  ６  レンタルサービス  ７  デリバリーサービスショップ  ８  金融機関サービス  ９  各種公共機関サービス事業１０  消防庁、消防局１１  警備会社１２  携帯電話会社１３  電話会社１４  電力会社１５  メインサーバー・サブサーバー
【手続補正３】
【補正対象書類名】図面
【補正対象項目名】全図
【補正方法】変更
【補正の内容】
【図１】
0003158522.tif 000004
【図２】
0003158522.tif 000005
【手続補正書】
【提出日】平成21年7月6日(2009.7.6)
【手続補正１】
【補正対象書類名】実用新案登録請求の範囲
【補正対象項目名】全文
【補正方法】変更
【補正の内容】
【実用新案登録請求の範囲】
【請求項１】
本考案は、宅配ボックスに、セキュリティー機能付の通信機器と映像機器をシステムユニット商品として構成し、住宅管理と監視を双方のあいだで行える、ネットワークシステム通信設備機器と映像機器を設置し、郵便の配達や又は宅配便の配達の際、留守や不在の時でも、通信システムを利用して双方のあいだで確認が行える、モニタリングシステムであり、また日常生活上の防犯対策にも適しており、インターネット接続システムでの遠隔監視と管理が行える、住宅用のホームライフセキュリティー宅配ボックスである。
【請求項２】
本考案は、宅配ボックスを、ホームライフセキュリティー宅配ボックス改良型として住宅を増改築して設置する場合の、システムユニット商品として構成したもので建物外壁部へ埋め込み型の施工タイプであり、玄関口・台所・洋室リビング・和室に応じた収納ユニット家具付ホームライフセキュリティー宅配ボックス改良型である。特徴としては荷物の受け取りが宅内側の後扉を開閉して行え、障害者の方や高齢者の方への配慮をし、車いすの方でも使え、ファーストフードショップデリバリーサービスやレンタルサービスに対応したホームライフセキュリティー宅配ボックス改良型である。
【手続補正２】
【補正対象書類名】明細書
【補正対象項目名】０００６
【補正方法】変更
【補正の内容】
【０００６】宅配ボックス本体の施置に下記の設備品を
ドアホンカメラ付ファックス電話、ドアホン用ＰＬＣアダプター、ネットワークカメラ、ネットワークカメラサーバー、無線ＬＡＮアダプター、カメラコントロールユニット、テレビモニタリングユニット、ネットワークカメラ専用録画プログラム、デジタルテレビ、ブルーレイディスクレコーダー、ホームパネル、コントロールパネルに配線設置し、パソコン（施主様準備品）、ルーター（施主様準備品）、メディアコンバーター（施主様準備品）を配線接続する。
施主様準備品がネットワークシステムに応じていない場合は、購入して頂く。
必要に応じて「イーサーネット（登録商標）」給電アダプターセットを取り付ける。
有料ネットワークサービス「みえますねっとサービス（登録商標）」に加入する。
お客様加入の携帯電話会社のインターネットが使える携帯電話でカメラ画像をモニタリングする。
【手続補正３】
【補正対象書類名】図面
【補正対象項目名】図１
【補正方法】変更
【補正の内容】
【図１】
0003158522.tif 000006
【手続補正書】
【提出日】平成22年1月4日(2010.1.4)
【手続補正１】
【補正対象書類名】実用新案登録請求の範囲
【補正対象項目名】全文
【補正方法】変更
【補正の内容】
【実用新案登録請求の範囲】
【請求項１】
本考案は、宅配ボックスに、セキュリティー機能付の通信機器と映像機器をシステムユニット商品として構成し、住宅管理と監視を双方のあいだで行える、ネットワークシステム通信設備機器と映像機器を設置し、郵便の配達や又は宅配便の配達の際、留守や不在の時でも、通信システムを利用して双方のあいだで確認が行える、モニタリングシステムであり、また日常生活上の防犯対策にも適しており、インターネット接続システムでの遠隔監視と管理が行える、住宅用のホームライフセキュリティー宅配ボックス。
【手続補正２】
【補正対象書類名】明細書
【補正対象項目名】０００６
【補正方法】変更
【補正の内容】
【０００６】宅配ボックス本体の施置に下記の設備品をドアホンカメラ付ファックス電話、ドアホン用ＰＬＣアダプター、ネットワークカメラ、ネットワークカメラサーバー、無線ＬＡＮアダプター、カメラコントロールユニット、テレビモニタリングユニット、ネットワークカメラ専用録画プログラム、デジタルテレビ、ブルーレイディスクレコーダー、ホームパネル、コントロールパネルに配線設置し、パソコン（施主様準備品）、ルーター（施主様準備品）、メディアコンバーター（施主様準備品）を配線接続する。
施主様準備品がネットワークシステムに応じていない場合は、購入して頂く。
必要に応じて「イーサネット（登録商標）」給電アダプターセットを取り付ける。
有料ネットワークサービス「みえますねっとサービス（登録商標）」に加入する。
お客様加入の携帯電話会社のインターネットが使える携帯電話でカメラ画像をモニタリングする。